(57)【特許請求の範囲】
【請求項１】
所定階の床の一部上にスキップ床が設けられ、このスキップ床と前記所定階の床との間が、天井高が０．９〜１．４ｍの収納室とされ、前記所定階の床上にある天井の位置と、前記スキップ床上にある天井の位置とがほぼ等しくなっている建物において、
前記所定階の床と前記スキップ床との間に階段室が設けられており、
この階段室の幅方向の半分に前記所定階の床から前記スキップ床に至る階段が設けられており、前記階段室の残りの半分に前記階段より段数が少ない雛壇状の棚部が設けられており、この棚部の最下段の棚が前記スキップ床の高さと等しいことを特徴とする建物。
【請求項２】
請求項１に記載の建物において、
前記スキップ床上には、前記階段の下り口にあるホールを挟んで２つの部屋が左右に離間して配置されており、
前記ホールに面して、トイレが前記２つの部屋の間に配置されていることを特徴とする建物。
【請求項３】
請求項２に記載の建物において、
前記所定階の床と前記スキップ床との間に設けられた壁に、前記収納室に出入りするための出入口が前記階段室を挟んで左右に離間して設けられていることを特徴とする建物。
【請求項４】
請求項２または３に記載の建物において、
前記特定階の床からその下の階の床に至る階段が設けられており、
前記出入口の一部が前記階段の上端部側部に面しており、前記出入口には、これを開閉する引戸が設けられ、この引戸は前記階段の上端部側部に面する出入口の一部側でロック可能とされていることを特徴とする建物。
【請求項５】
請求項４に記載の建物において、
前記スキップ床と、この床上にある天井との間に設けられた壁に、建具付きの開口部が前記所定階の床上の部屋に面して設けられていることを特徴とする建物。
【発明の詳細な説明】
【技術分野】
【０００１】
本発明は、階段と雛壇状の棚部を有する建物に関する。
【背景技術】
【０００２】
スキップ床を備えた建物の一例として、特許文献１に記載の住宅が知られている。この住宅では、玄関ホールとオープンスペースとが隣接配置されており、オープンスペースの床高は玄関ホールより１ｍ程度高くなっている。そして、玄関ホールとオープンスペースとの間には階段が設けられ、この階段によって玄関ホールとオープンスペースとを行き来できるようになっている。
また、所定階の床の一部上にスキップ床が設けられ、このスキップ床と前記所定階の床との間が、天井高が０．９〜１．４ｍの収納室とされ、前記所定階の床上にある天井の位置と、前記スキップ床上にある天井の位置とがほぼ等しくなっている建物の一例として特許文献２に記載の建物が知られている。
【特許文献１】特開２００２−３１７５６４号公報
【特許文献２】特開２００４−１１３３６号公報
【発明の開示】
【発明が解決しようとする課題】
【０００３】
ところで、スキップ床に至る階段は、その下の居間等の部屋から見える位置にあるので、この階段付近も装飾したいという要望がある。
階段の横に装飾物を載置する棚等を設ければ、階段付近を装飾することができるが、棚を階段の上り口に面する居間等の部屋側に向ければ、階段から装飾物を見ることができなし、棚を階段側に向ければ部屋から見ることができない。
また、階段の横に棚を設けた場合、その棚と階段の段板とが同じ高さや近い高さにあると、階段を上り下りする最中に棚に載置した装飾物が傷付いたり破損したりするおそれもある。
【０００４】
本発明は上記事情に鑑みてなされたもので、スキップ床に至る階段とその下の階の床からの双方から装飾物を見ることができるとともに、階段を上り下りする最中に棚に載置した装飾物が傷付いたり破損したりするおそれがない建物を提供することを課題としている。
【課題を解決するための手段】
【０００５】
上記課題を解決するために、請求項１に記載の発明は、例えば図１〜図４に示すように、所定階の床２の一部上にスキップ床３が設けられ、このスキップ床３と前記所定階の床２との間が、天井高が０．９〜１．４ｍの収納室４とされ、前記所定階の床２上にある天井の位置と、前記スキップ床３上にある天井の位置とがほぼ等しくなっている建物において、
前記所定階の床２と前記スキップ床３との間に階段室８が設けられており、
この階段室８の幅方向の半分に前記所定階の床２から前記スキップ床３に至る階段１０が設けられており、前記階段室８の残りの半分に前記階段１０より段数が少ない雛壇状の棚部１１が設けられており、この棚部１１の最下段の棚１１ａが前記スキップ床３の高さと等しいことを特徴とする。
【０００６】
請求項１に記載の発明によれば、階段室８の幅方向の半分に前記所定階の床２からスキップ床３に至る階段１０が設けられており、前記階段室８の残りの半分に前記階段１０より段数が少ない雛壇状の棚部１１が設けられているので、階段１０と所定階の床２との双方から棚部１１に載置された装飾物を見ることができる。
また、棚部１１の最下段の棚１１ａが前記スキップ床３の高さと等しいので、棚部１１の全ての棚１１ａは階段１０の段板より高い位置にあり、よって、階段１０を上り下りする最中に棚１１ａに載置した装飾物が傷付いたり破損したりするおそれがない。
【０００７】
請求項２に記載の発明は、請求項１に記載の建物において、
前記スキップ床３上には、前記階段１０の下り口にあるホール１３を挟んで２つの部屋１４，１５が左右に離間して配置されており、
前記ホール１３に面して、トイレ１６が前記２つの部屋１４，１５の間に配置されていることを特徴とする。
【０００８】
請求項２に記載の発明によれば、階段１０の下り口にあるホール１３に面してトイレ１６が２つの部屋１４，１５の間に配置されているので、このトイレ１６に、２つの部屋１４，１５から直接または所定階の床２上にある部屋５から階段１０を上って行くことができ、トイレ１６の使い勝手がよい。
【０００９】
請求項３に記載の発明は、請求項２に記載の建物において、
前記所定階の床２と前記スキップ床３との間に設けられた壁１２に、前記収納室４に出入りするための出入口２０，２１が前記階段室８を挟んで左右に離間して設けられていることを特徴とする。
【００１０】
請求項３に記載の発明によれば、収納室４に出入りするための出入口２０，２１が階段室を挟んで左右に離間して設けられているので、収納室４の使い勝手がよくなる。
【００１１】
請求項４に記載の発明は、請求項２または３に記載の建物において、
前記特定階の床２からその下の階の床に至る階段２３が設けられており、
前記出入口２０の一部が前記階段２３の上端部側部に面しており、前記出入口２０には、これを開閉する引戸２３が設けられ、この引戸２３は前記階段２３の上端部側部に面する出入口２０の一部側でロック可能とされていることを特徴とする。
【００１２】
請求項４に記載の発明によれば、出入口２０の一部が下の階に至る階段２２の上端部側部に面しているので、下の階から階段２２を使って長尺物を運んで収納室４に収納する場合に、階段２２の上端部側部から出入口２０を介して長尺物を収納できる。つまり、階段２２を上りきる前に、長尺物を出入口２０から搬入できる。
【００１３】
請求項５に記載の発明は、請求項４に記載の建物において、
前記スキップ床３と、この床上にある天井との間に設けられた壁１２に、建具付きの開口部１７が前記所定階の床２上の部屋５に面して設けられていることを特徴とする。
【００１４】
請求項５に記載の発明によれば、スキップ床３上にある部屋１４，１５から、建具付きの開口部１７を通して所定階の床２上の部屋の様子５を知ることができる。また、建具を開けることによって、所定階の床２上の部屋５からスキップ床３上にある部屋１４，１５へと空気の抜けがよくなり、換気性能が向上する。
【発明の効果】
【００１５】
本発明によれば、階段室の幅方向の半分に前記所定階の床からスキップ床に至る階段が設けられており、前記階段室の残りの半分に前記階段より段数が少ない雛壇状の棚部が設けられているので、階段と所定階の床との双方から棚部に載置された装飾物を見ることができる。
また、棚部の最下段の棚が前記スキップ床の高さと等しいので、棚部の全ての棚は階段の段板より高い位置にあり、よって、階段を上り下りする最中に棚に載置した装飾物が傷付いたり破損したりするおそれがない。
【発明を実施するための最良の形態】
【００１６】
以下図面を参照して本発明の実施の形態について説明する。
図１は本発明の建物の一例を示すもので、２階の平面図、図２はスキップ床を有する２．５階の平面図、図３は建物の縦断面図、図４は階段と棚部を示す斜視図である。
これらの図に示すように、建物は２．５階建てのものであり、２階（所定階）の床２の一部上にスキップ床３が設けられている。
スキップ床３は、平面視において建物の北側において、東西に延在して設けられており、このスキップ床３と、２階の床２との間には天井高が０．９〜１．４ｍの収納室４が設けられている。
【００１７】
２階の床２上には、リビングダイニング５とキッチン６とが設けられている。また、２階の東南の角部にはバルコニー７が設けられており、このバルコニー７には、リビングダイニング５とキッチン６の双方から行き来可能となっている。
また、２階の床２とスキップ床３との間には階段室８が設けられており、この階段室８の右側半分には２階の床２からスキップ床３に至る階段１０が設けられている。また、階段室８の左半分には階段１０より段数が少ない雛壇状の棚部１１が設けられている。
棚部１１は３段に形成されたものであり、その最下段の棚１１ａはスキップ床３の高さと等しくなっている。
また、棚部１１は平面視において、前面が床２から天井まで延びるとともに収納室４とリビングダイニング５およびキッチン６を仕切る内壁１２とほぼ面一になっており、背面が階段１０の上端部とほぼ面一になっている。
さらに、棚部１１の上端面はスキップ床３上の天井面まで達しておらず、スキップ床３と天井との間の半分の高さに位置している。
【００１８】
また、前記階段室８を形成する壁８ａは、図１に示すように、平面視においてコ字状の壁を有しており、この壁８ａによっても、スキップ床３が支持されており、これによってスキップ床３の支持強度を高めている。
【００１９】
スキップ床３上には、階段１０の下り口にあるホール１３を挟んで、２つの部屋１４，１５が左右に離間して配置されており、このホール１３に面して、トイレ１６が２つの部屋１４，１５の間に配置されている。トイレ１６に出入するための戸は前記棚部１１に対向している。
前記部屋１４，１５は、スキップ床３とこの床上にある天井との間に設けられ、かつ床２から天井まで延びる前記内壁１２によって、前記リビングダイニング５およびキッチン６の上方空間と仕切られている。リビングダイニング５およびキッチン６はスキップ床１４，１５上の部屋の天井と高さの等しい天井を有する高天井室となっている。
前記部屋１４，１５に面する内壁１２には、それぞれ建具付きの開口部１７が２階の床上の部屋、つまりリビングダイニング５およびキッチン６の上方空間に面して設けられている。建具は透明なガラス板を有する引戸によって構成されている。また、この引戸は吊戸になっており、引戸の下端と開口部の内周下面との間には所定の隙間が形成されている。
また、前記部屋１４，１４の天井には、図２および図３に示すように天窓１８，１８が設けられている。
【００２０】
また、２階の床３とスキップ床３との間に設けられた前記内壁１２には、収納室４に出入りするための出入口２０，２１が前記階段室８を挟んで左右に離間して設けられている。出入口２０は、２階の床２からその下の１階の床に至る階段２２の下り口近傍に面しており、出入口２０はリビングダイニング５とキッチン６との境界部あたりに面している。
前記出入口２０の一部、すなわち出入口２０の幅方向半分は階段２２の上端部側に面しており、出入口２０には、これを開閉する引戸２３が設けられている。引戸２３は２枚の戸を有する引違い式の引戸であり、一方の戸は階段２２の上端部側部に面する出入口２２の半分側でロック可能とされている。
したがって、引戸２３は一方の戸をロックした状態で、他方の戸を一方の戸側に引き込むことで、出入口２０の半分（右半分）が開き、ここから出入りできるようになっている。
また、一方の戸のロックを解除して、この戸を他方の戸側に引き込むことで、出入口２０の半分（左半分）が開き、階段２２の上端部から直接長尺物等を収納室４に搬入できるようになっている。また、引戸２３を全て収納室４の内壁側に引き込めるように構成すれば、開口部２０を全開でき、長尺物等を収納室４に搬入する際に好都合である。
【００２１】
本実施の形態によれば、階段室８の幅方向の半分に２階の床２からスキップ床３に至る階段１０が設けられており、階段室８の残りの半分に階段１０より段数が少ない雛壇状の棚部１１が設けられているので、階段１０と２階の床２上にある部屋（リビングダイニング５）との双方から棚部１１に載置された装飾物を見ることができる。
また、棚部１１の最下段の棚１１ａがスキップ床３の高さと等しいので、棚部１１の全ての棚１１ａは階段１０の段板より高い位置にあり、よって、階段１０を上り下りする最中に棚１１ａに載置した装飾物が傷付いたり破損したりするおそれがない。
さらに、階段１０の下り口にあるホール１３に面してトイレ１６が２つの部屋１４，１５の間に配置されているので、このトイレ１６に、２つの部屋１４，１５から直接または２階の床２上にある部屋（リビングダイニング５）から階段１０を上って行くことができ、トイレ１６の使い勝手がよい。
【００２２】
また、２階の床２とスキップ床３との間に設けられた壁１２に、収納室４に出入りするための出入口２０，２１が階段室８を挟んで左右に離間して設けられているので、収納室４の使い勝手がよくなる。
また、収納室４の出入口２０の一部が１階に至る階段２２の上端部側部に面しているので、１階から階段２２を使って長尺物を運んで収納室４に収納する場合に、階段２２の上端部側部から出入口２０を介して長尺物を収納できる。つまり、階段２２を上りきる前に、長尺物を出入口２０から搬入できる。
また、スキップ床３と、この床上にある天井との間に設けられた壁１２に、建具付きの開口部１７が２階の床上の部屋（リビングダイニング５）に面して設けられているので、この部屋から、建具付きの開口部１７を通して２階の床上の部屋の様子を知ることができる。また、建具を開けることによって、２階の床２上の部屋からスキップ床３上にある部屋１４，１５へと空気の抜けがよくなり、換気性能が向上する。
【図面の簡単な説明】
【００２３】
【図１】本発明に係る建物の一例を示すもので、その２階の平面図である。
【図２】同、スキップ床を有する２．５階の平面図である。
【図３】同、縦断面図である。
【図４】階段と棚部を示す斜視図である。
【符号の説明】
【００２４】
２  ２階の床（所定階の床）
３  スキップ床
４  収納室
８  階段室
１０  階段
１１  棚部
１１ａ  棚
１３  ホール
１４，１５  部屋
１６  トイレ
１７  建具付きの開口部
２０，２１  出入口
２２  階段
２３  引戸
【図１】
0004975590.tif 000002
【図２】
0004975590.tif 000003
【図３】
0004975590.tif 000004
【図４】
0004975590.tif 000005